【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
標本採取容器アセンブリであって、
第１の開口部と、第１の閉鎖底部と、前記第１の開口部と前記第１の閉鎖底部との間で円周方向に延在する第１の側壁と、を有する第１の管状部材であって、その中に標本試料を受容できる第１の管状部材と、
第２の開口部と、第２の閉鎖底部と、前記第２の開口部と前記第２の閉鎖底部との間で円周方向に延在する第２の側壁と、を有する第２の管状部材であって、前記第１の管状部材が内部に配置される第２の管状部材と、
前記第１および第２の側壁の少なくとも一方に配置される充填ライン指標であって、少なくとも前記採取容器の最低予定充填量に対応する充填ライン指標と、
を備えることを特徴とする容器アセンブリ。
【請求項２】
前記第１の側壁部材は、内表面および外表面を有し、前記充填ライン指標は、前記第１の側壁部材の前記内表面上または前記外表面上の少なくとも一方に設置されることを特徴とする請求項１に記載の容器アセンブリ。
【請求項３】
前記第２の側壁部材は内表面および外表面を有し、前記充填ライン指標は、前記第２の側壁部材の前記内表面上に設置されることを特徴とする請求項１に記載の容器アセンブリ。
【請求項４】
前記充填ライン指標は、前記第１および第２の側壁の少なくとも一方の表面上に配置され、または、前記充填ライン指標は、光を拡散できる凸凹形状の表面であって、前記第１および第２の側壁の一方と一体に形成されることを特徴とする請求項１に記載の容器アセンブリ。
【請求項５】
前記充填ライン指標は、前記第１および第２の側壁の少なくとも一方の一部分に少なくとも部分的に円周方向に延びる１本の幅広い帯を含み、前記１本の帯は、上側境界と下側境界によって画定される第１の所定の幅を有し、前記上側境界は最大予定充填量を規定し、前記下側境界は最低予定充填量を規定することを特徴とする請求項１に記載の容器アセンブリ。
【請求項６】
前記充填ライン指標は、前記第１および第２の側壁の少なくとも一方の一部分に少なくとも部分的に円周方向に延びて、相互に所定の距離だけ離間された上側線と下側線を含み、前記上側線は最大予定充填量を規定し、前記下側線は最低予定充填量を規定することを特徴とする請求項１に記載の容器アセンブリ。
【請求項７】
前記充填ライン指標は、前記第１および第２の側壁の一部分に少なくとも部分的に円周方向に延びる線を含み、前記１本の線は、前記採取容器の予定充填量の最低量に対応する第２の所定の幅を有することを特徴とする請求項１に記載の容器アセンブリ。
【請求項８】
前記第１の管状部材は水分バリア材料から形成され、前記第２の管状部材は水蒸気バリア材料から形成されることを特徴とする請求項１に記載の容器アセンブリ。
【請求項９】
前記第１の管状部材はポリプロピレンでなり、前記第２の管状部材はポリエチレンテレフタレートでなることを特徴とする請求項８に記載の容器アセンブリ。
【請求項１０】
前記第１の管状部材は内部容積を画定し、前記容器アセンブリは穿刺可能な閉鎖手段をさらに備え、前記内部容積の圧力は、大気に関して低減されていることを特徴とする請求項１に記載の容器アセンブリ。
【請求項１１】
前記充填ライン指標は、前記第１および第２の側壁の少なくとも一方に設置されて、前記容器の前記内部容積の低減された圧力に応じた標本試料の少なくとも最低予定充填量を示すことを特徴とする請求項１０に記載の容器アセンブリ。
【請求項１２】
前記充填ライン指標は、前記第１および第２の側壁の少なくとも一方に設置されて、前記容器の前記内部容積の前記低減された圧力にしたがって前記容器内の事前充填された試薬と合算した前記標本試料の少なくとも最低予定充填量を示すことを特徴とする請求項１０に記載の容器アセンブリ。
【請求項１３】
生体標本採取容器アセンブリであって、
第１の開口部と、第１の閉鎖底部と、前記第１の開口部と前記第１の閉鎖底部との間で円周方向に延在する第１の側壁と、を有する第１の管状部材と、
第２の開口部と、第２の閉鎖底部と、前記第２の開口部と前記第２の閉鎖底部との間で円周方向に延在する第２の側壁と、を有する第２の管状部材であって、前記第２の側壁は、内表面および外表面と、当該前記第２の側壁の内表面と一体の充填ライン指標と、を有し、前記充填ライン指標は少なくとも前記採取容器の最低予定充填量に対応し、前記第１の管状部材が内部に配置される第２の管状部材と、
を備えることを特徴とする容器アセンブリ。
【請求項１４】
前記充填ライン指標は、前記第２の側壁の前記内表面の一部に少なくとも部分的に円周方向に延びる線を含み、前記線は、前記採取容器の前記予定充填量の最低量に対応する第２の所定の幅を有することを特徴とする請求項１３に記載の容器アセンブリ。
【請求項１５】
前記充填ライン指標は、光を拡散できる凸凹形状の表面であり、前記第２の側壁の前記内表面と一体に形成されることを特徴とする請求項１３に記載の容器アセンブリ。
【請求項１６】
前記最低予定充填量は、前記容器内に受容されるべき生体標本試料、または、生体標本試料と前記容器内に存在する試薬の一方に対応することを特徴とする請求項１３に記載の容器アセンブリ。
【請求項１７】
前記第１の管状部材は内部容積を画定し、前記容器アセンブリは穿刺可能な閉鎖手段をさらに備え、前記内部容積の圧力は大気に対して低減されていることを特徴とする請求項１３に記載の容器アセンブリ。
【請求項１８】
標本採取容器を製造するための方法であって、
第１の開口部と、第１の閉鎖底部と、前記第１の開口部と前記第１の閉鎖底部との間で円周方向に延在する第１の側壁と、を有する第１の管状部材であって、内部に標本試料を受容するための所定の容積を有する第１の管状部材を成形するステップと、
第２の開口部と、第２の閉鎖底部と、前記第２の開口部と前記第２の閉鎖底部との間で円周方向に延在する第２の側壁と、を有する第２の管状部材を成形するステップと、
前記第１および第２の側壁の少なくとも一方に、少なくとも前記採取容器の最低予定充填量に対応する充填ライン指標を設置するステップと、
前記第１の管状部材を前記第２の管状部材の中に配置するステップと、
を含むことを特徴とする方法。
【請求項１９】
少なくとも前記第２の管状部材は、コア部材を含む射出成形工程によって形成され、前記充填ライン指標は、前記第２の側壁の内表面上に、前記コア部材の周囲を少なくとも部分的に巡る粗面化された表面を設けることによって形成されることを特徴とする請求項１８に記載の方法。
【請求項２０】
前記充填ライン指標は、前記第１および第２の側壁の一方の一部分に少なくとも部分的に円周方向に延びる１本の幅広い帯を含み、前記帯は上側境界と下側境界によって画定される第１の所定の幅を有し、前記上側境界は最大予定充填量を規定し、前記下側境界は最低予定充填量を規定することを特徴とする請求項１８に記載の方法。
【請求項２１】
前記充填ライン指標は、前記第１および第２の側壁の一方の一部分に少なくとも部分的に円周方向に延びて、相互に所定の距離だけ離間された上側および下側の線を含み、前記上側充填ラインは最大予定充填量を規定し、前記下側の線は最低予定充填量を規定することを特徴とする請求項１８に記載の方法。
【請求項２２】
前記充填ライン指標は、前記第１および第２の側壁の一方の一部分に少なくとも部分的に円周方向に延びる線を含み、前記線は、前記採取容器の予定充填量の最低予定量に対応する第１の所定の幅を有することを特徴とする請求項１８に記載の方法。
【請求項２３】
標本採取容器アセンブリであって、
第１の端部と、第２の端部と、前記第１の端部と前記第２の端部の間で円周方向に延在する側壁と、を有する管状部材であって、内部に標本試料を受容できる管状部材と、
前記側壁の内表面上に設置される充填ライン指標であって、少なくとも前記採取容器の最低予定充填量に対応する充填ライン指標と、
を備えることを特徴とする容器アセンブリ。
【請求項２４】
標本採取容器を製造するための方法であって、
第１の端部と、第２の端部と、前記第１の開口部と前記閉鎖底部との間で円周方向に延在する側壁と、を有する管状部材であって、内部に標本試料を受けることのできる所定の容積を有する管状部材を成形するステップと、
前記側壁の内表面上に、少なくとも前記採取容器の最低予定充填量に対応する充填ライン指標を設置するステップと、
を含むことを特徴とする方法。